(57)【要約】      （修正有）【課題】ドライバーの柄に照明装置を組み込むことで暗所での作業用に有効な照明付ネジ回しを提供する。【解決手段】照明付ドライバーの軸は照明構造を備える柄２から脱着可能な形態をしており、対象となるネジ山の溝に合わせ他のビットを持つ軸との交換が可能となる様に構成する。また、柄２は、照明器具（例えばＬＥＤライト）３、電源（例えば単３形乾電池）４、スイッチ５、電線の配線６と軸の軸受け７を備えている。作業時に対象となるネジ山の溝を明かりで照らしたいときに、スイッチ５を作動させ電源４から電線の配線６を通じて照明器具３に通電して点灯させネジ山の溝を照射して使用する。【選択図】図２
0003181061.tif 000002
【実用新案登録請求の範囲】
【請求項１】
ネジ回し(通称ドライバー)の軸の先端を照射する目的で、柄(通称ハンドル)内に照明設備を設け、柄の前方軸受け部と同じ面に電灯を備えたことを特徴とする、照明つきネジ回し
【請求項２】
ネジ回し(通称ドライバー)の軸の先端を照射する目的で、柄(通称ハンドル) に圧電発電を用いた照明設備を設け、柄の前方軸受け部と同じ面に電灯を備えたことを特徴とする、照明つきネジ回し
【考案の詳細な説明】
【技術分野】
【０００１】
本考案は、通常ドライバー呼称される工具のネジ回しの構造に関する。
【背景技術】
【０００２】
工具のドライバーには、一般的なドライバーや特殊な専門ドライバーなど様々な種類のドライバーがあり、使う人や用途に合わせて各々その役目にあった働きをしている。木工用ドライバー、電工用ドライバー、自動車部品などの締め付け取り外し用ドライバー、時計の修理用精密ドライバーなどのほかに、ハンマーで叩くとその力が回転に変わるインパクトドライバー、グリップを上下に動かして軸の先端(以下ビット)を回すオートマチックドライバー、Ｓの字型の軸が特徴のオフセットドライバー、グリップを共有した軸の取り換え用ドライバー、  グリップと軸を共有して軸の先端部のみを取り換えるビット差し替え用ドライバーなどのほかにも、通電すると点灯する検電ドライバー、暗所での作業用にＬＥＤライトを備えた電動工具インパクトドライバーが市販され流通している。
【考案の概要】
【考案が解決しようとする課題】
【０００３】
暗所での作業用には、市販され流通しているＬＥＤライトを備えた電動工具インパクトドライバーが便利であるが、些末な修理や対象になるネジが小さいときにはむしろ別に明かりを用意して、手動で普通のドライバーを使用する方が作業効率の良い場合もある。また検電ドライバーも、通電時に点灯はするが暗所でネジ山のビット対応の切れ込み部(以下溝)を照射するには本来の目的と乖離していて不都合である。このように  暗所での作業には、些末な修理や対象になるネジが小さいときには別に明かりを用意して、手動で普通のドライバーを使用する場合もあるが、その際ドライバーと明かりを一人で同時に操作するのは面倒なこともある。
【課題を解決するための手段】
【０００４】
ネジ山の溝が見えにくいときや穴の奥にネジ山の溝があるときなどに、対象となるネジ山の溝を明るく見えやすくする目的で、ドライバーの柄の前方軸の差し込み取り付け部分(以下軸の差し込み部) と同じ面のドライバーの柄の前方側面(以下柄の前方側面)から対象のネジ山の溝に照明が照射できるように、ドライバーの柄に照明装置を装備した。
【考案の効果】
【０００５】
本考案の、柄に照明装置を装備したドライバーを使用することで、暗所での作業のときなど手元が暗くて対象となるネジ山の溝が見えにくいときや穴の奥にネジ山の溝があるときなどの作業が容易になる。
【図面の簡単な説明】
【０００６】
【図１】本考案照明付きドライバーの一実施例の軸の平面図
【図２】本考案照明付きドライバーの一実施例１の柄２の構造要部一部切断平面図
【図３】本考案照明付きドライバーの実施例の柄図２の前方の平面図
【図４】本考案照明付きドライバーの一実施例２の柄８の構造要部切断平面図
【図５】本考案照明付きドライバーの実施例２の柄図４の前方の平面図
【図６】本考案照明付きドライバーの一実施例３の柄１４の平面図
【図７】本考案照明付きドライバーの実施例３の柄１４の図６の前方の平面図
【考案を実施するための形態】
【０００７】
本考案に係る照明付きドライバーについて、実施例１、実施例２、実施例３各々において本考案の要部は各々該ドライバーの柄の部分の装備にあるのでその一実施例の形態を説明する添え付け図面では便宜的にドライバーを柄と軸が別々に構成されている製品を使用し図１のドライバーの軸１は、図２のドライバーの柄２、図４のドライバーの柄８、図６のドライバーの柄１４に共有するものとした。
【実施例１】
【０００８】
図１は本考案照明付きドライバーの一実施例の軸の平面図である。軸１は照明構造を
備える柄２、柄８、柄１４各々から脱着可能な形態をしており、対象となるネジ山の溝に合わせ他のビットを持つ軸との交換が可能である。
図２は本考案照明付きドライバーの一実施例１の柄２の構造要部一部切断平面図であ
る。照明器具(本実施例１ではＬＥＤライト)３、電源(本実施例１では単３形乾電池)４、スイッチ５、電線の配線６と図１の軸１の軸受け７を備えている。作業時に対象となるネジ山の溝を明かりで照らしたいときに、スイッチ５を作動させ電源４から電線の配線６を通じて照明器具３に通電して点灯させネジ山の溝を照射する。
図３は本考案照明付きドライバーの実施例の柄図２の前方の平面図である。照明器具
３と軸受け７が並んでいて外側下部にスイッチ５がある。
【実施例２】
【０００９】
同一の考案の要旨に違反しない範囲で、本考案はさらに別の実施態様が可能である。
図４は本考案照明付きドライバーの一実施例２の柄８の構造要部切断平面図である。
照明器具(本実施例２ではＬＥＤライト)９、電源(本実施例２では圧電デバイス)１０、反発材料(本実施例２では熱可塑性エラストマーＴＰＥＥの中空のボール)１１、電線の配線１２と図１の軸１の軸受け１３を備えている。作業時に対象となるネジ山の溝を明かりで照らしたいときに、電源１０を握りしめて圧電デバイスに加圧して発電し電線１２を通じて照明器具９に通電して点灯させネジ山の溝を照射する。
図５は本考案照明付きドライバーの実施例２の柄図４の前方の平面図である。照明器
具９と軸受け１３が並んでいる。
【実施例３】
【００１０】
前述の実施例のほか、本考案はさらに別の実施態様が可能である。
図６は本考案照明付きドライバーの一実施例３の柄１４の平面図である。電源(本実
施例３では圧電プラスチックシート)１６と図１の軸１の軸受け１７を備えている。作業時に対象となるネジ山の溝を明かりで照らしたいときに、電源１６を握りしめて圧電プラスチックシートに加圧して発電し、照明器具に通電して点灯させネジ山の溝を照射する。
図７は本考案照明付きドライバーの実施例３の柄図６の前方の平面図である。照明器
具１５と軸受け１７が並んでいる。
【産業上の利用可能性】
【００１１】
本考案の照明付きドライバーは、暗所での作業のときなど手元が暗くて対象となるネジ山の溝が見えにくいときや穴の奥にネジ山の溝があるときなどに、対象となるネジ山の溝を明るく見えやすくするので作業が容易になり産業上の利用可能性は大きい。
【符号の説明】
【００１２】
１  軸
２  柄    
３  ＬＥＤライト
４  単三乾電池
５  スイッチ
６  電線の配線
７  軸受け
８  柄
９  ＬＥＤライト
１０  圧電デバイス
１１  ＴＰＥＥボール
１２  電線の配線
１３  軸受け
１４  柄
１５  ＬＥＤライト
１６  圧電プラスチックシート
１７  軸受け
【図１】
0003181061.tif 000003
【図２】
0003181061.tif 000004
【図３】
0003181061.tif 000005
【図４】
0003181061.tif 000006
【図５】
0003181061.tif 000007
【図６】
0003181061.tif 000008
【図７】
0003181061.tif 000009